(57)【要約】【課題】高さ調節可能な天板を備えた昇降天板付きデスクにおいて、昇降天板の側方に該昇降天板の昇降動作に干渉することなく目隠し機能を備えたサイドパネルを設け、またフロントパネルと組み合わせて独立した作業空間を作り出すことが可能な昇降天板を備えたパネル付きデスク装置を提供する。【解決手段】両側に配した脚体２を固定脚５の内部に可動脚６の下部を上下動可能に支持した構造とし、これら固定脚と可動脚とに関連づけて駆動機構を設けて該可動脚を昇降可能とし、該可動脚の上端に取付けた昇降天板１の高さを調節可能とした昇降天板付きデスクにおいて、脚体の固定脚の外側面に支持ブラケット９を介して目隠し機能を有するサイドパネル７を立設するとともに、昇降天板の側縁と該サイドパネルの内側面との間に間隙を設けた。【選択図】        図１
2008119258.tif 000002
【特許請求の範囲】
【請求項１】
両側に配した脚体を固定脚の内部に可動脚の下部を上下動可能に支持した構造とし、これら固定脚と可動脚とに関連づけて駆動機構を設けて該可動脚を昇降可能とし、該可動脚の上端に取付けた昇降天板の高さを調節可能とした昇降天板付きデスクにおいて、前記脚体の固定脚の外側面に支持ブラケットを介して目隠し機能を有するサイドパネルを立設するとともに、前記昇降天板の側縁と該サイドパネルの内側面との間に間隙を設けたことを特徴とする昇降天板を備えたパネル付きデスク装置。
【請求項２】
前記サイドパネルの下端は、床面よりも高く且つ前記昇降天板の下限高さよりも低い位置に設定し、上端は前記昇降天板の上限高さよりも高い位置に設定してなる請求項１記載の昇降天板を備えたパネル付きデスク装置。
【請求項３】
前記サイドパネルの内側面の下部に、前記支持ブラケットを略水平に固定し、該支持ブラケットの前後中間位置を、前記脚体の固定脚の前方上端に取付けた係止具に係止するとともに、互にネジ止めしてなる請求項１又は２記載の昇降天板を備えたパネル付きデスク装置。
【請求項４】
前記昇降天板の後方にフロントパネルを立設し、該フロントパネルの側端部上面と前記サイドパネルの後端部上面とをＬ字形連結金具で連結してなる請求項１〜３何れかに記載の昇降天板を備えたパネル付きデスク装置。
【請求項５】
前記サイドパネルの外側面に、天板の後方にフロントパネルを立設した他のデスクを設置するとともに、両フロントパネルの側端面を、コーナーポストを介して連結してなる請求項４記載の昇降天板を備えたパネル付きデスク装置。
【発明の詳細な説明】
【技術分野】
【０００１】
本発明は、昇降天板を備えたパネル付きデスク装置に係わり、更に詳しくは昇降天板の側方に目隠し機能を有するサイドパネルを設けた構造の昇降天板を備えたパネル付きデスク装置に関するものである。
【背景技術】
【０００２】
従来からデスクの天板の後縁に、目隠し機能を有するフロントパネルを設けるとともに、天板の側縁にもサイドパネルを設けたパネル付きデスクは各種提供されている。例えば、特許文献１には、天板の側端面の前後に支持金具を取付け、該支持金具でサイドパネルを天板の側縁上位に立設した構造が開示されている。更に、サイドパネルの後縁は、縁部材を介してフロントパネルの側縁に連結する構造も開示されている。
【０００３】
また、特許文献２には、デスクの側縁に沿って床面からサイドパネルを立設し、該サイドパネルをデスクの脚部に連結するとともに、該サイドパネルの後縁に支柱を介在させてフロントパネルを連結した構造が開示されている。
【０００４】
これらは、何れも天板が固定的な通常のデスクで天板の高さ調節ができないが、特許文献３には、平面視Ｌ字形に連結した間仕切パネルで囲まれた内部にＬ字形天板を配し、各間仕切パネルの内面に設けた昇降機構にて前記Ｌ字形天板を昇降可能に設けた機能的なパネル装置が開示されている。しかし、特許文献３の記載のパネル装置はデスクとして使用するには汎用性がなく、他の固定天板を有するデスクと組み合わせて使用することを想定したものではない。
【特許文献１】特開平８−１５４７４５号公報
【特許文献２】特開２００３−７９４３６号公報
【特許文献３】アメリカ特許第４９６９４０３号公報
【発明の開示】
【発明が解決しようとする課題】
【０００５】
そこで、本発明が前述の状況に鑑み、解決しようとするところは、高さ調節可能な天板を備えた昇降天板付きデスクにおいて、昇降天板の側方に該昇降天板の昇降動作に干渉することなく目隠し機能を備えたサイドパネルを設け、またフロントパネルと組み合わせて独立した作業空間を作り出すことが可能な昇降天板を備えたパネル付きデスク装置を提供する点にある。
【課題を解決するための手段】
【０００６】
本発明は、前述の課題解決のために、両側に配した脚体を固定脚の内部に可動脚の下部を上下動可能に支持した構造とし、これら固定脚と可動脚とに関連づけて駆動機構を設けて該可動脚を昇降可能とし、該可動脚の上端に取付けた昇降天板の高さを調節可能とした昇降天板付きデスクにおいて、前記脚体の固定脚の外側面に支持ブラケットを介して目隠し機能を有するサイドパネルを立設するとともに、前記昇降天板の側縁と該サイドパネルの内側面との間に間隙を設けたことを特徴とする昇降天板を備えたパネル付きデスク装置を構成した（請求項１）。
【０００７】
ここで、前記サイドパネルの下端は、床面よりも高く且つ前記昇降天板の下限高さよりも低い位置に設定し、上端は前記昇降天板の上限高さよりも高い位置に設定してなるのである（請求項２）。
【０００８】
また、前記サイドパネルの内側面の下部に、前記支持ブラケットを略水平に固定し、該支持ブラケットの前後中間位置を、前記脚体の固定脚の前方上端に取付けた係止具に係止するとともに、互にネジ止めしてなることが好ましい（請求項３）。
【０００９】
そして、前記昇降天板の後方にフロントパネルを立設し、該フロントパネルの側端部上面と前記サイドパネルの後端部上面とをＬ字形連結金具で連結してなることがより好ましい（請求項４）。
【００１０】
また、前記サイドパネルの外側面に、天板の後方にフロントパネルを立設した他のデスクを設置するとともに、両フロントパネルの側端面を、コーナーポストを介して連結してなることも好ましい（請求項５）。
【発明の効果】
【００１１】
以上にしてなる請求項１に係る発明の昇降天板を備えたパネル付きデスク装置は、両側に配した脚体を固定脚の内部に可動脚の下部を上下動可能に支持した構造とし、これら固定脚と可動脚とに関連づけて駆動機構を設けて該可動脚を昇降可能とし、該可動脚の上端に取付けた昇降天板の高さを調節可能とした昇降天板付きデスクにおいて、前記脚体の固定脚の外側面に支持ブラケットを介して目隠し機能を有するサイドパネルを立設するとともに、前記昇降天板の側縁と該サイドパネルの内側面との間に間隙を設けたので、サイドパネルに干渉されずに昇降天板を昇降動作させて高さを調節することができ、またサイドパネルの高さは一定であるので、他のデスクとの外観の統一性を乱すことがないのである。
【００１２】
請求項２によれば、昇降天板がどのような高さに調節されたとしても、サイドパネルの上部は昇降天板よりも上方に突出して目隠し機能を有するとともに、またサイドパネルの下部によって前記脚体の固定脚よりも上方において露出する可動脚を隠蔽することができるのである。
【００１３】
請求項３によれば、サイドパネルの内側面の下部に固定した支持ブラケットの前後中間位置を、脚体の固定脚の前方上端に取付けた係止具に係止することにより、該サイドパネルを仮支持することができ、その状態で係止具と支持ブラケットを互にネジ止めするので、１人の作業者が簡単に組み付けることができ、しかもサイドパネルの支持を確実に行えるのである。ここで、サイドパネルの後端部は、前記固定脚の後端部を内側面から貫通したボルトを前記支持ブラケットに締結する等の適宜な固定手段で取付けることが可能である。
【００１４】
請求項４によれば、昇降天板の後方に立設したフロントパネルの側端部上面とサイドパネルの後端部上面とをＬ字形連結金具で連結することにより、サイドパネルの支持強度が高くなり、特に前記係止具と支持ブラケットの連結部分とＬ字形連結金具による連結部分とが上下左右において離れた位置でであるので、左右方向に対する支持強度が高くなるのである。
【００１５】
請求項５によれば、昇降天板の後方に立設したフロントパネルの側端部上面と、サイドパネルの側端部上面とをＬ字形連結金具で連結するとともに、該サイドパネルの外側面に設置した他のデスクのフロントパネルの側端面を、前記昇降天板後方に設けたフロントパネルの側端面とを、コーナーポストを介して連結するので、サイドパネルの支持強度が高くなるとともに、左右のデスクの設置位置ずれを無くすることができる。
【発明を実施するための最良の形態】
【００１６】
次に、添付図面に示した実施形態に基づき、本発明を更に詳細に説明する。図１〜図６は、本発明に係る昇降天板を備えたパネル付きデスク装置の要部を示し、図中符号１は昇降天板、２は脚体、３はダクト開口、４は幕板、５は固定脚、６は可動脚、７はサイドパネル、８はフロントパネル、９は支持ブラケット、１０は係止具、１１は連結金具をそれぞれ示している。
【００１７】
本発明に係る昇降天板を備えたパネル付きデスク装置は、図１及び図２に示すように、昇降天板１の両側を昇降可能な脚体２，２で支持するとともに、両脚体２，２の上端部で後端間に、前記昇降天板１の後縁との間にダクト開口３を設けて幕板４を渡設した基本構造を有し、具体的には前記脚体２は、固定脚５の内部に可動脚６の下部を上下動可能に支持した構造とし、これら固定脚５と可動脚６とに関連づけて駆動機構（図示せず）を設けて該可動脚６を昇降可能とし、該可動脚６の上端に取付けた前記昇降天板１の高さを調節可能としたものであり、更に前記昇降天板１の側方にサイドパネル７を設けるとともに、後方にフロントパネル８を適宜設けたものである。
【００１８】
ここで、前記サイドパネル７は、前記脚体２の固定脚５の外側面に支持ブラケット９と係止具１０を用いて保持し、前記昇降天板１の側方に目隠し機能を有するサイドパネル７を立設している。更に、前記昇降天板１の側縁と前記サイドパネル７の内側面との間には図５に示すように間隙Ｓを設け、該サイドパネル７に干渉されずに昇降天板１を昇降動作させて高さを調節することができるようにしている。また、前記サイドパネル７の下端は、床面よりも高く且つ前記昇降天板１の下限高さよりも低い位置に設定し、上端は前記昇降天板１の上限高さよりも高い位置に設定している。
【００１９】
更に具体的には、前記サイドパネル７の内側面の下部に、前記支持ブラケット９を略水平に固定し、該支持ブラケット９の前後中間位置を、前記脚体２の固定脚５の前方上端に取付けた係止具１０に係止するとともに、互にネジ止めして支持している。ここで、前記固定脚５の内側面に内側から貫通したボルトを前記支持ブラケット９の後部に螺合して後部を保持することも好ましい。この場合、後述のようにフロントパネル８を設けずに、デスク装置を他の間仕切パネルや壁面に接近させて設置するような場合に、前記サイドパネル７を独立して立起状態に保持することができるのである。この場合、前記サイドパネル７を安定に支持するためには、前記支持ブラケット９の支持面から離れた位置に別途第２の支持金具を設けるか、あるいは前記支持ブラケット９に下方への延長部を設けて、第２の支持金具又は延長部を前記固定脚５の外側面にネジ止めする。
【００２０】
また、前記フロントパネル８は、前記幕板４の背面に適宜な取付手段で保持し、該幕板４の背面に前記昇降天板１より高いフロントパネル８を立設し、目隠し機能を強化している。そして、前記昇降天板１の後方に立設したフロントパネルを８の側端部上面と前記サイドパネル７の後端部上面とをＬ字形連結金具１１Ａで連結している。前記サイドパネル７とフロントパネル８は、上下寸法が一致し、上端縁にアルミ押出し型材からなる笠木部材１２，１２を設け、該笠木部材１２の上面に形成した凹溝１３内に、板状の前記Ｌ字形転結金具１１Ａの各板片を嵌合し、上方からネジ１４，…で前記笠木部材１２に締結するのである。
【００２１】
更に詳しく、前記サイドパネル７を取付ける構造を図３〜図５に基づいて説明する。前記支持ブラケット９は、前記サイドパネル７の内側面に接合する長尺の基板１５の上下中央部に側方へ断面コ字形に突出した張出部１６を全長にわたって形成し、前記基板１５の前後端部に下方へ延長した延設部１７，１７を形成し、該延設部１７とその上方の基板１５に取付孔１８，１８を形成するとともに、前記張出部１６の前後端から等距離位置の下面にそれぞれ係合孔１９，１９を直列に形成し、更に両係合孔１９，１９の中間で前記張出部１６の側面に螺孔２０を形成したものである。そして、前記支持ブラケット９は、前記サイドパネル７の内側面の下部に前記基板１５と延設部１７，１７を当接し、前記取付孔１８，１８に挿通したネジ２１，…をサイドパネル７の内側面に形成した螺孔２２，…に螺合して、略水平に取付ける。この状態で、前記支持ブラケット９の張出部１６は、前記サイドパネル７の内側面から所定高さ突出している。ここで、左右の前記サイドパネル７は、前記支持ブラケット９は前後対称形であるので、前後逆にして取付けることができるので共通のものを用いることができる。
【００２２】
尚、前記支持ブラケット９は、上下対称形に形成することも好ましく、この場合、前記張出部１６の前後同じ位置の上下面にそれぞれ係合孔１９，１９を形成するとともに、それに対応する側面に一つの螺孔２０を形成し、前記基板１５の前後端部の上方に延設部を設けた形状となる。つまり、前記張出部１６の中心線に対して上下対称であると、左右のサイドパネル７に共用できる。
【００２３】
前記係止具１０は、前記脚体２の固定脚５の前端部上面に載置する取付板２３と、該取付板２３の左右両端部に下方へ向けて折曲形成した挟持片２４，２４を有し、更に外側一側端に前記支持ブラケット９の張出部１６の側面に当接する固定板２５と、その下方に前記張出部１６の下面を載置する受板２６を形成するとともに、該受板２６の端縁に前記張出部１６の係合孔１９，１９に係入する係止片２７，２７を前後に立上げ形成している。更に、前記固定板２５の強度を高めるために、該固定板２５の前後縁から左右方向内方へ延びた支持片２８，２８を前記取付板２３の上面に溶接したものである。そして、前記取付板２３に通孔２９を形成するととともに、前記固定板２５にも通孔３０を形成している。ここで、前記固定板２５と支持片２８，２８は、他の部分とは別部材で平面視コ字形の部材として形成し、前記取付板２３の上面に溶接して一体化している。
【００２４】
そして、前記取付板２３を前記固定脚５の前端部上面３１に載置するとともに、両挟持片２４，２４で該固定脚５の内外側面を挟持するとともに、上方からネジ３２を前記取付板２３の通孔２９を通して前記上面３１に形成した螺孔３３に螺合して強固に固定する。それから、前記サイドパネル７を昇降天板１の側縁に位置させ、その内側面に取付けた支持ブラケット９の張出部１６の係止孔１９，１９を、前記係止具１０の係止片２７，２７に落し込むととともに、前記固定板２５と受板２６とに前記張出部１６の側面と下面を接合して仮支持する。そして、内方からネジ３４を前記固定板２５の通孔３０を通して前記支持ブラケット９の張出部１６の螺孔２０に螺合して取付ける。
【００２５】
それから、図１及び図２に示すように、前記フロントパネル８の側端部とサイドパネル７の後端部は直角に交わってコーナーポスト３５を介して接合するので、前述のように両パネルの笠木部材１２に上方からＬ字形連結金具１１Ａを当てがって、上方からネジ１４，…で締着するのである。ここで、前記コーナーポスト３５の側面と前記フロントパネル８の側端面とサイドパネル７の後端面とは、アリとアリ溝からなる嵌合構造にて上下スライド係合させて連結する。
【００２６】
そして、本発明に係る昇降天板を備えたパネル付きデスク装置は、図６及び図７に示すように、昇降天板１の側方にサイドパネル７を有し、また後方にフロントパネル８を有し、昇降天板１の周囲が囲まれて目隠し機能を備えるとともに、昇降天板１を前記サイドパネル７の存在に関係なく昇降させることができるのである。本実施形態では、前記サイドパネル７とフロントパネル８は、上下寸法が一致し、互に連結されて高さは変化しないので、図８に示すように、多数の昇降天板付きデスクを並べて設置したり、固定天板を有する通常のデスクを並べて設置した場合でも外観の統一性が維持されるのである。図８は、本発明に係るデスクの右側に、固定天板３６を固定脚体３７，３７で両側を支持し、背面にフロントパネル３８を立設した構造の通常デスクを配置した場合に、前記サイドパネル７の後端部に前記フロントパネル８とフロントパネル３８の側端部を前述と同様にＴ字形連結金具１１Ｂで連結した態様を示している。
【００２７】
勿論、前述のように、前記昇降天板１の側方と後方の設けた前記サイドパネル７とフロントパネル８をＬ字形金具１１Ａで連結して構造として完結させたものに、新たに後方にフロントパネル３８を有する通常デスクを設置するときに、該フロントパネル３８と前記フロントパネル８とを前記コーナーポスト３５の嵌合構造のみで連結することも可能である。
【図面の簡単な説明】
【００２８】
【図１】本発明に係る昇降天板を備えたパネル付きデスク装置の要部を昇降天板を省略して示した斜視図である。
【図２】同じく要部の分解斜視図である。
【図３】同じく要部の拡大分解斜視図である。
【図４】支持ブラケットと係止具の拡大斜視図である。
【図５】サイドパネルを取付けた状態の縦断面図である。
【図６】本発明に係る昇降天板を備えたパネル付きデスク装置の全体側面図である。
【図７】同じく部分斜視図である。
【図８】本発明に係るデスクの側方に他のデスクを設置した状態で斜視図である。
【符号の説明】
【００２９】
１  昇降天板、            ２  脚体、
３  ダクト開口、          ４  幕板、
５  固定脚、              ６  可動脚、
７  サイドパネル、        ８  フロントパネル、
９  支持ブラケット、      １０  係止具、
１１Ａ  Ｌ字形転結金具、  １１Ｂ  Ｔ字形連結金具、
１２  笠木部材、          １３  凹溝、
１４  ネジ、              １５  基板、
１６  張出部、            １７  延設部、
１８  取付孔、            １９  係合孔、
２０  螺孔、              ２１  ネジ、
２２  螺孔、              ２３  取付板、
２４  挟持片、            ２５  固定板、
２６  受板、              ２７  係止片、
２８  支持片、            ２９  通孔、
３０  通孔、              ３１  上面、
３２  ネジ、              ３３  螺孔、
３４  ネジ、              ３５  コーナーポスト、
３６  固定天板、          ３７  固定脚体、
３８  フロントパネル、
Ｓ  間隙。
【図１】
2008119258.tif 000003
【図２】
2008119258.tif 000004
【図３】
2008119258.tif 000005
【図４】
2008119258.tif 000006
【図５】
2008119258.tif 000007
【図６】
2008119258.tif 000008
【図７】
2008119258.tif 000009
【図８】
2008119258.tif 000010